(57)【要約】【課題】消費電力の増大を抑制しつつ、撮像機能を有効活用することが可能な固体撮像装置を提供する。【解決手段】画素アレイ部１から読み出される画素ＰＣの範囲に基づいて動作モードを設定する動作モード設定回路８が設けられ、この動作モードは、画素アレイ部１の一部の画素ＰＣから信号を読み出す省電力モードと、画素アレイ部１の全ての画素ＰＣから信号を読み出す全開モードと、画素アレイ部１の画素ＰＣから信号を読み出さないようにする停止モードを設け、省電力モードには、画素アレイ部１から読み出される画素ＰＣの範囲を周期的に変化させる機能、画素アレイ部１から信号を読み出す時間間隔を設定する機能および画素アレイ部１を駆動する電源電圧を低下させる機能を設ける。【選択図】図１
2014033402.tif 000002
【特許請求の範囲】
【請求項１】
光電変換した電荷を蓄積する画素がマトリックス状に配置された画素アレイ部と、
前記画素を垂直方向に走査する垂直走査回路と、
前記画素を水平方向に走査する水平走査回路と、
前記画素アレイ部の一部の画素から信号を読み出す省電力モードと、前記画素アレイ部の全ての画素から信号を読み出す全開モードと、前記画素アレイ部の画素から信号を読み出さないようにする停止モードとを切り替える動作モード設定回路と、
前記省電力モードで前記画素アレイ部を駆動した時の信号状態に基づいて前記全開モードに切り替える信号処理回路とを備えることを特徴とする固体撮像装置。
【請求項２】
光電変換した電荷を蓄積する画素がマトリックス状に配置された画素アレイ部と、
前記画素を垂直方向に走査する垂直走査回路と、
前記画素を水平方向に走査する水平走査回路と、
前記画素アレイ部から読み出される画素の範囲に基づいて動作モードを設定する動作モード設定回路とを備えることを特徴とする固体撮像装置。
【請求項３】
前記動作モードは、前記画素アレイ部の一部の画素から信号を読み出す省電力モードと、前記画素アレイ部の全ての画素から信号を読み出す全開モードと、前記画素アレイ部の画素から信号を読み出さないようにする停止モードとを備えることを特徴とする請求項２に記載の固体撮像装置。
【請求項４】
前記省電力モードは、前記画素アレイ部から読み出される画素の範囲を周期的に変化させる機能、前記画素アレイ部から信号を読み出す時間間隔を設定する機能および前記画素アレイ部を駆動する電源電圧を低下させる機能のうちのいずれか１つの機能をさらに備えることを特徴とする請求項３に記載の固体撮像装置。
【請求項５】
光電変換した電荷を蓄積する画素がマトリックス状に配置された画素アレイ部と、
前記画素を垂直方向に走査する垂直走査回路と、
前記画素を水平方向に走査する水平走査回路と、
前記画素アレイ部を第１モードよりも消費電力の小さな第２モードで駆動した時の信号状態に基づいて前記画素アレイ部の駆動を前記第２モードから前記第１モードに切り替える信号処理回路を備えることを特徴とする固体撮像装置。
【発明の詳細な説明】
【技術分野】
【０００１】
本発明の実施形態は、固体撮像装置に関する。
【背景技術】
【０００２】
半導体製造プロセスの微細化に伴って固体撮像装置の高解像度化が進展している。一方、消費電力を低減するため、固体撮像装置による撮像を行わない時には、固体撮像装置の電源を切ることが行われている。
【先行技術文献】
【特許文献】
【０００３】
【特許文献１】特開２００６−１６６４００号公報
【発明の概要】
【発明が解決しようとする課題】
【０００４】
本発明の一つの実施形態は、消費電力の増大を抑制しつつ、撮像機能を有効活用することが可能な固体撮像装置を提供することを目的とする。
【課題を解決するための手段】
【０００５】
本発明の一つの実施形態によれば、画素アレイ部と、垂直走査回路と、水平走査回路と、動作モード設定回路とが設けられている。画素アレイ部は、光電変換した電荷を蓄積する画素がマトリックス状に配置されている。垂直走査回路は、前記画素を垂直方向に走査する。水平走査回路は、前記画素を水平方向に走査する。動作モード設定回路は、前記画素アレイ部から読み出される画素の範囲に基づいて動作モードを設定する。
【図面の簡単な説明】
【０００６】
【図１】図１は、第１実施形態に係る固体撮像装置の概略構成を示すブロック図である。
【図２】図２は、図１の固体撮像装置の画素の構成例を示す回路図である。
【図３】図３は、図２の画素の読み出し動作時の各部の電圧波形を示すタイミングチャートである。
【図４】図４（ａ）および図４（ｂ）は、各動作モードにおける読み出し領域の一例を示す平面図である。
【図５】図５は、省電力モードにおける読み出し領域の切り換え方法の一例を示す平面図である。
【図６】図６（ａ）および図６（ｂ）は、各動作モードにおける撮像間隔の一例を示すタイミングチャートである。
【図７】図７は、各動作モードにおける動作電圧の設定方法を示す図である。
【図８】図８は、第２実施形態に係る固体撮像装置の概略構成を示すブロック図である。
【図９】図９は、図８の固体撮像装置が適用される監視システムの概略構成を示すブロック図である。
【発明を実施するための形態】
【０００７】
以下に添付図面を参照して、実施形態にかかる固体撮像装置を詳細に説明する。なお、これらの実施形態により本発明が限定されるものではない。
【０００８】
（第１の実施形態）
図１は、第１実施形態に係る固体撮像装置の概略構成を示すブロック図である。
図１において、固体撮像装置には、画素アレイ部１が設けられている。画素アレイ部１には、光電変換した電荷を蓄積する画素ＰＣがロウ方向ＲＤおよびカラム方向ＣＤにマトリックス状に配置されている。また、この画素アレイ部１において、ロウ方向ＲＤには画素ＰＣの読み出し制御を行う水平制御線Ｈｌｉｎが設けられ、カラム方向ＣＤには画素ＰＣから読み出された信号を伝送する垂直信号線Ｖｌｉｎが設けられている。
【０００９】
また、固体撮像装置には、読み出し対象となる画素ＰＣを垂直方向に走査する垂直走査回路２、画素ＰＣとの間でソースフォロア動作を行うことにより、画素ＰＣから垂直信号線Ｖｌｉｎにカラムごとに信号を読み出す負荷回路３、各画素ＰＣの信号成分をＣＤＳにてカラムごとに検出するカラムＡＤＣ回路４、読み出し対象となる画素ＰＣを水平方向に走査する水平走査回路５、カラムＡＤＣ回路４に基準電圧ＶＲＥＦを出力する基準電圧発生回路６、各画素ＰＣの読み出しや蓄積のタイミングを制御するタイミング制御回路７および画素アレイ部１から読み出される画素ＰＣの範囲に基づいて動作モードを設定する動作モード設定回路８が設けられている。なお、基準電圧ＶＲＥＦはランプ波を用いることができる。また、画素アレイ部１、垂直走査回路２、負荷回路３、カラムＡＤＣ回路４、水平走査回路５、基準電圧発生回路６、タイミング制御回路７および動作モード設定回路８は、半導体チップＰ１に形成することができる。
【００１０】
また、画素アレイ部１から読み出される画素ＰＣの範囲は、画素アレイ部１に設定された所定の枠内に設定することができる。この動作モードは、画素アレイ部１の一部の画素ＰＣから信号を読み出す省電力モードと、画素アレイ部１の全ての画素ＰＣから信号を読み出す全開モードと、画素アレイ部１の画素ＰＣから信号を読み出さないようにする停止モードを設けることができる。省電力モードには、画素アレイ部１から読み出される画素ＰＣの範囲を周期的に変化させる機能、画素アレイ部１から信号を読み出す時間間隔を設定する機能および画素アレイ部１を駆動する電源電圧を低下させる機能を設けることができる。
【００１１】
そして、垂直走査回路２にて画素ＰＣが垂直方向に走査されることで、ロウ方向ＲＤに画素ＰＣが選択される。そして、負荷回路３において、その画素ＰＣとの間でソースフォロア動作が行われることにより、画素ＰＣから読み出された信号が垂直信号線Ｖｌｉｎを介して伝送され、カラムＡＤＣ回路４に送られる。また、基準電圧発生回路６において、基準電圧ＶＲＥＦとしてランプ波が設定され、カラムＡＤＣ回路４に送られる。そして、カラムＡＤＣ回路４において、画素ＰＣから読み出された信号レベルとリセットレベルがランプ波のレベルに一致するまでクロックのカウント動作が行われ、その時の信号レベルとリセットレベルとの差分がとられることで各画素ＰＣの信号成分がＣＤＳにて検出され、出力信号Ｖｏｕｔとして出力される。
【００１２】
図２は、図１の固体撮像装置の画素の構成例を示す回路図である。
図２において、画素ＰＣには、フォトダイオードＰＤ、増幅トランジスタＴｂ、リセットトランジスタＴｃおよび読み出しトランジスタＴｄがそれぞれ設けられている。また、増幅トランジスタＴｂとリセットトランジスタＴｃと読み出しトランジスタＴｄとの接続点には検出ノードとしてフローティングディフュージョンＦＤが形成されている。
【００１３】
そして、読み出しトランジスタＴｄのソースは、フォトダイオードＰＤに接続され、読み出しトランジスタＴｄのゲートには、読み出し信号ＲＥＡＤが入力される。また、リセットトランジスタＴｃのソースは、読み出しトランジスタＴｄのドレインに接続され、リセットトランジスタＴｃのゲートには、リセット信号ＲＳＧが入力され、リセットトランジスタＴｃのドレインは、電源電位ＲＳＤに接続されている。また、増幅トランジスタＴｂのソースは、垂直信号線Ｖｌｉｎに接続され、増幅トランジスタＴｂのゲートは、読み出しトランジスタＴｄのドレインに接続され、増幅トランジスタＴｂのドレインは、電源電位ＶＤＤに接続されている。
【００１４】
また、負荷回路３には、カラムごとに電流原Ｇが設けられている。そして、電流原Ｇはカラムごとに垂直信号線Ｖｌｉｎに接続されている。なお、図２の水平制御線Ｈｌｉｎは、読み出し信号ＲＥＡＤおよびリセット信号ＲＳＧをロウごとに画素ＰＣに伝送することができる。
【００１５】
図３は、図２の画素の読み出し動作時の各部の電圧波形を示すタイミングチャートである。
図３において、電源電位ＲＳＤが立ち上がった状態で（ｔ１）、リセット信号ＲＳＧが立ち上がると（ｔ２）、リセットトランジスタＴｃがオンし、リーク電流などで発生した余分な電荷がフローティングディフュージョンＦＤにリセットされる。そして、フローティングディフュージョンＦＤのリセットレベルに応じた電圧が増幅トランジスタＴｂのゲートにかかる。ここで、増幅トランジスタＴｂと電流原Ｇとでソースフォロアが構成されているので、増幅トランジスタＴｂのゲートに印加された電圧に垂直信号線Ｖｌｉｎの電圧が追従し、リセットレベルの出力電圧ＶＳＩＧが垂直信号線Ｖｌｉｎを介してカラムＡＤＣ回路４に出力される。
【００１６】
そして、カラムＡＤＣ回路４において、リセットレベルの出力電圧ＶＳＩＧが入力された状態で、基準電圧ＶＲＥＦとしてランプ波が与えられると、リセットレベルの出力電圧ＶＳＩＧとランプ波とが比較される。
【００１７】
そして、リセットレベルの出力電圧ＶＳＩＧがランプ波のレベルと一致するまでダウンカウントされることで、リセットレベルの出力電圧ＶＳＩＧがデジタル値に変換され保持される。
【００１８】
次に、読み出し信号ＲＥＡＤが立ち上がると（ｔ３）、読み出しトランジスタＴｄがオンし、フォトダイオードＰＤに蓄積されていた電荷がフローティングディフュージョンＦＤに転送され、フローティングディフュージョンＦＤの信号レベルに応じた電圧が増幅トランジスタＴｂのゲートにかかる。ここで、増幅トランジスタＴｂと電流原Ｇとでソースフォロアが構成されているので、増幅トランジスタＴｂのゲートに印加された電圧に垂直信号線Ｖｌｉｎの電圧が追従し、信号レベルの出力電圧ＶＳＩＧが垂直信号線Ｖｌｉｎを介してカラムＡＤＣ回路４に出力される。
【００１９】
そして、カラムＡＤＣ回路４において、信号レベルの出力電圧ＶＳＩＧが入力された状態で、基準電圧ＶＲＥＦとしてランプ波が与えられると、信号レベルの出力電圧ＶＳＩＧとランプ波とが比較される。
【００２０】
そして、信号レベルの出力電圧ＶＳＩＧがランプ波のレベルと一致するまで今度はアップカウントされることで、信号レベルの出力電圧ＶＳＩＧとリセットレベルの出力電圧ＶＳＩＧとの差分がデジタル値に変換され、出力信号Ｖｏｕｔとして出力される。
【００２１】
次に、電源電位ＲＳＤが立ち下がった状態でリセット信号ＲＳＧが立ち上がると（ｔ４）、リセットトランジスタＴｃがオンし、フローティングディフュージョンＦＤの電位がロウレベルに設定される。このため、増幅トランジスタＴｂがオフし、直信号線Ｖｌｉｎの電圧がフローティングディフュージョンＦＤの電位に追従しないようになる。
【００２２】
図４（ａ）および図４（ｂ）は、各動作モードにおける読み出し領域の一例を示す平面図である。
図４（ａ）において、全開モードでは、動作モード設定回路８において画素アレイ部１全体が読み出し領域として設定される。そして、動作モード設定回路８にて設定された読み出し領域が、垂直走査回路２および水平走査回路５を介して走査されることで画素アレイ部１全体から読み出しが行われる。
【００２３】
図４（ｂ）において、省電力モードでは、動作モード設定回路８において画素アレイ部１の一部が読み出し領域として設定される。この読み出し領域は画素アレイ部１に設定された枠Ｗ１によって指定することができる。なお、この枠Ｗ１の大きさおよび位置は任意に変更することができる。そして、この枠Ｗ１内の画素ＰＣが、垂直走査回路２および水平走査回路５を介して走査されることで画素アレイ部１の一部から読み出しが行われる。
【００２４】
図４（ｃ）において、停止モードでは、動作モード設定回路８において画素アレイ部１の画素ＰＣから信号を読み出さないようにするために、垂直走査回路２および水平走査回路５による画素ＰＣの走査が停止される。
【００２５】
ここで、画素アレイ部１に設定された枠Ｗ１内の画素ＰＣから読み出しを行わせることにより、固体撮像装置による撮像機能を維持しつつ、省電力化を図ることが可能となる。このため、固体撮像装置に電源を供給するバッテリの容量に制約がある場合においても、監視やユーザインターフェース補助などの撮像以外の新たな付加価値を発生させることができる。
【００２６】
なお、固体撮像装置による監視機能の実効性を向上させるため、全開モードまたは停止モードが明示的に指定された場合以外は、固体撮像装置は常に省電力モードに移行するようにしてもよい。例えば、全開モードが解除された時は省電力モードに自動的に移行し、全開モードまたは停止モードが指定された時に省電力モードが解除されるようにしてもよい。
【００２７】
図５は、省電力モードにおける読み出し領域の切り換え方法の一例を示す平面図である。
図５において、省電力モードでは、画素アレイ部１から読み出される画素ＰＣの範囲を周期的に変化させるようにしてもよい。例えば、画素アレイ部１に枠Ｗ１〜Ｗ５を設定し、画素アレイ部１から読み出される画素ＰＣの範囲を枠Ｗ１→枠Ｗ２→枠Ｗ３→枠Ｗ４→枠Ｗ５→枠Ｗ１という順序で変化させるようにしてもよい。なお、画素アレイ部１に設定される枠の個数や大きさは任意に設定できるようにしてもよいし、枠同士が重なっていてもよい。また、枠間を遷移する時間間隔は、フレーム時間単位で設定してもよいし、秒単位で設定してもよいし、分単位で設定してもよい。
【００２８】
ここで、画素アレイ部１から読み出される画素ＰＣの範囲を周期的に変化させることにより、読み出し範囲が制限されている場合においても、監視範囲を拡大することができ、消費電力の増大を防止しつつ、監視機能を強化することができる。
【００２９】
図６（ａ）および図６（ｂ）は、各動作モードにおける撮像間隔の一例を示すタイミングチャートである。
図６（ａ）において、停止モードでは電源がオフされることで撮像が停止され、全開モードでは電源がオンされることで撮像が連続的に行われる。
一方、図６（ｂ）において、省電力モードでは、画素アレイ部１から信号を読み出す時間間隔Ｔ１および撮像時間Ｔ２を個別に変更できるようにすることができる。これらの時間間隔Ｔ１および撮像時間Ｔ２は、フレーム時間単位で設定してもよいし、秒単位で設定してもよい、分単位で設定してもよい。
【００３０】
ここで、画素アレイ部１から信号を間欠的に読み出すことにより、監視範囲を維持しつつ、消費電力を減少させることができ、固体撮像装置に電源を供給するバッテリの容量に制約がある場合においても、監視時間を長時間化することができる。
【００３１】
図７は、各動作モードにおける動作電圧の設定方法を示す図である。
図７において、停止モードＭ１では動作電圧が０Ｖに設定され、全開モードＭ３では動作電圧が電源電圧に設定される。一方、省電力モードＭ２では、動作電圧が電源電圧よりも低下される。これにより、監視機能を維持しつつ、消費電力を減少させることができ、固体撮像装置に電源を供給するバッテリの容量に制約がある場合においても、監視時間を長時間化することができる。
【００３２】
なお、上述した実施形態では、全開モードと省電力モードとで画素ＰＣから読み出された信号の出力系統を共有する方法について説明したが、全開モードと省電力モードとで画素ＰＣから読み出された信号の出力系統を分離するようにしてもよい。この場合、省電力モードにおいて信号の伝送に必要なドライバを小型化することができ、消費電力を低減することができる。また、全開モードと省電力モードとで画素ＰＣを駆動する電源ラインを別個に設けるようにしてもよい。
【００３３】
（第２の実施形態）
図８は、第２実施形態に係る固体撮像装置の概略構成を示すブロック図である。
図８において、この固体撮像装置には、図１の動作モード設定回路８の代わりに信号処理回路９が設けられている。信号処理回路９には差分判定部９Ａが設けられている。信号処理回路９は、画素アレイ部１を第１モードよりも消費電力の小さな第２モードで駆動した時の信号状態に基づいて画素アレイ部１の駆動を第２モードから第１モードに切り替えることができる。なお、例えば、第１モードは全開モード、第２モードは省電力モードに設定することができる。この第２モードでは、画素アレイ部１の画素ＰＣの一部を読み出す方法であってもよいし、画素アレイ部１から信号を間欠的に読み出す方法であってもよいし、画素アレイ部１を駆動する電源電圧を低下させる方法であってもよいし、これらの方法を任意に組み合わせた方法であってもよい。
【００３４】
差分判定部９Ａは、第２モードで画素アレイ部１を駆動した時に画素ＰＣから前回読み出された信号と今回読み出された信号との差分を判定することができる。なお、画素アレイ部１、垂直走査回路２、負荷回路３、カラムＡＤＣ回路４、水平走査回路５、基準電圧発生回路６、タイミング制御回路７および信号処理回路９は、半導体チップＰ２に形成することができる。
【００３５】
そして、差分判定部９Ａにおいて、画素ＰＣから前回読み出された信号と今回読み出された信号との差分が無い場合には、第２モードで画素アレイ部１を継続して駆動する。一方、画素ＰＣから前回読み出された信号と今回読み出された信号との差分がある場合には、第２モードから第１モードに切り替える。そして、第１モードに切り替えられると、例えば、画素アレイ部１が全開モードで駆動され、画素ＰＣから読み出された信号が出力信号Ｖｏｕｔとして出力される。
【００３６】
これにより、監視対象の画像に変化があった場合にのみ監視対象を精細に観察することが可能となり、消費電力を減少させつつ、固体撮像装置による監視機能の実効性を向上させることが可能となる。
【００３７】
図９は、図８の固体撮像装置が適用される監視システムの概略構成を示すブロック図である。
図９において、固体撮像装置１２の前段にはレンズ光学系１１が設けられ、固体撮像装置１２の後段には画像処理部１３が設けられている。なお、固体撮像装置１２は、図８の構成を用いることができる。また、画像処理部１３には、人物判定部１３Ａが設けられている。人物判定部１３Ａは、固体撮像装置１２から出力された出力信号Ｖｏｕｔに基づいて、固体撮像装置１２による監視対象が人物であるかどうかを判定することができる。画像処理部１３は、表示制御部１４を介してディスプレイ１５に接続されている。画像処理部１３は、メディアドライブ１６を介して記録メディア１７に接続するようにしてもよい。
【００３８】
そして、レンズ光学系１１を介して固体撮像装置１２に光が入射すると、その光量に応じた画素信号が固体撮像装置１２内部で生成される。ここで、固体撮像装置１２が第２モードで駆動される時は、その画素信号は固体撮像装置１２内の信号処理回路９にて処理され、その画素信号が画像処理部１３に出力されないようにされる。このため、画像処理部１３は動作を停止し、画像処理部１３の省電力化が図られる。また、表示制御部１４およびディスプレイ１５の電源はオフされ、表示制御部１４およびディスプレイ１５の省電力化が図られる。
【００３９】
そして、固体撮像装置１２の監視対象に変化があると、その変化が差分判定部９Ａにて検出され、第２モードから第１モードに切り替えられる。そして、第１モードに切り替えられえると、例えば、画素アレイ部１が全開モードで駆動され、画素ＰＣから読み出された信号が出力信号Ｖｏｕｔとして画像処理部１３に出力される。なお、画像処理部１３の画像処理としては、例えば、シェーディング補正、色分離補間処理、マスキング処理、γ補正処理、色空間変換処理、ブライトネス調整、コントラスト調整、色彩調整および彩度調整などを挙げることができる。
【００４０】
また、出力信号Ｖｏｕｔが画像処理部１３に出力されると、人物判定部１３Ａにおいて、固体撮像装置１２による監視対象が人物であるかどうかが判定される。そして、固体撮像装置１２による監視対象が人物でない場合は、その判定結果が固体撮像装置１２に送られる。そして、固体撮像装置１２において、画素アレイ部１の駆動が第１モードから第２モードに切り替えられ、固体撮像装置１２による監視が継続される。一方、固体撮像装置１２による監視対象が人物である場合は、表示制御部１４およびディスプレイ１５の電源がオンされ、固体撮像装置１２による監視対象がディスプレイ１５に表示される。また、固体撮像装置１２による監視対象が人物である場合は、メディアドライブ１６を介して撮像画像を記録メディア１７に記録するようにしてもよい。
【００４１】
ここで、固体撮像装置１２がディスプレイ１５の位置とは無関係に配置される場合、例えば、固体撮像装置１２を盗難監視装置として用いることができる。この時、レンズ光学系２１、固体撮像装置１２および画像処理部１３を自家用車の車内に設置し、表示制御部１４、ディスプレイ１５、メディアドライブ１６および記録メディア１７を自宅内に設置することができる。あるいは、表示制御部１４、ディスプレイ１５、メディアドライブ１６および記録メディア１７を携帯電話などの携帯機器に搭載するようにしてもよい。なお、固体撮像装置１２と画像処理部１３との信号のやり取りは、無線通信を用いることができる。そして、自家用車の車内は固体撮像装置１２にて第２モードで常時監視される。そして、自家用車の車内において監視対象に変化があると、固体撮像装置１２は第２モードから第１モードに切り替わり、精細な画像が画像処理部１３に出力される。そして、人物判定部１３Ａにおいて、固体撮像装置１２による監視対象が人物であるかどうかが判定され、固体撮像装置１２による監視対象が人物である場合は、表示制御部１４およびディスプレイ１５の電源がオンされ、その人物がディスプレイ１５に表示される。また、固体撮像装置１２による監視対象が人物である場合は、メディアドライブ１６を介してその人物が記録メディア１７に記録される。
【００４２】
あるいは、ディスプレイ１５の正面が撮像されるように固体撮像装置１２が配置される場合、ディスプレイ１５の電源をオン／オフさせるために用いることができる。この時、レンズ光学系２１、固体撮像装置１２および画像処理部１３は、ディスプレイ１５に取り付けるようにしてもよい。そして、ディスプレイ１５の正面は固体撮像装置１２にて第２モードで常時監視される。そして、ディスプレイ１５の正面において監視対象に変化があると、固体撮像装置１２は第２モードから第１モードに切り替わり、精細な画像が画像処理部１３に出力される。そして、人物判定部１３Ａにおいて、固体撮像装置１２による監視対象が人物であるかどうかが判定され、固体撮像装置１２による監視対象が人物である場合は、表示制御部１４およびディスプレイ１５の電源がオンされ、その人物にて指定された番組などがディスプレイ１５に表示される。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
Ｐ１、Ｐ２  半導体チップ、ＰＣ  画素、Ｔｂ  増幅トランジスタ、Ｔｃ  リセットトランジスタ、Ｔｄ  読み出しトランジスタ、ＰＤ  フォトダイオード、ＦＤ  フローティングディフュージョン、Ｖｌｉｎ  垂直信号線、Ｈｌｉｎ  水平制御線、１  画素アレイ部、２  垂直走査回路、３  負荷回路、４  カラムＡＤＣ回路、５  水平走査回路、６  基準電圧発生回路、７  タイミング制御回路、８  動作モード設定回路、９  信号処理回路、９Ａ  差分判定部、１１  レンズ光学系、１２  固体撮像装置、１３  画像処理部、１３Ａ  人物判定部、１４  表示制御部、１５  ディスプレイ、１６  メディアドライブ、１７  記録メディア
【図１】
2014033402.tif 000003
【図２】
2014033402.tif 000004
【図３】
2014033402.tif 000005
【図４】
2014033402.tif 000006
【図５】
2014033402.tif 000007
【図６】
2014033402.tif 000008
【図７】
2014033402.tif 000009
【図８】
2014033402.tif 000010
【図９】
2014033402.tif 000011